【手続補正書】
【提出日】平成20年8月25日(2008.8.25)
【手続補正１】
【補正対象書類名】特許請求の範囲
【補正対象項目名】請求項１６
【補正方法】変更
【補正の内容】
【請求項１６】
（１６）前記貯留水槽に生活用水を補給する生活用水補給手段
を備え、
該生活用水補給手段（１６）は、以下の（ア）及び／又は（イ）に基づき、生活用水の補給の実行及び停止を行う機能を有することを特徴とする、請求項１２乃至１５のいずれか一項に記載のヒートポンプ式空気調和システム、ヒートポンプ式給湯システム又はヒートポンプ式空気調和・給湯統合システム。
（ア）前記貯留水槽（４）〜（４”’）における液位測定手段で測定された液位情報
（イ）前記貯留水槽（４）〜（４”’）における温度測定手段で測定された温度情報
【手続補正２】
【補正対象書類名】明細書
【補正対象項目名】００２６
【補正方法】変更
【補正の内容】
【００２６】
また、ヒートポンプ式空気調和システム、ヒートポンプ式給湯システム又はヒートポンプ式空気調和・給湯統合システムに係る第１６の発明は、第１２乃至１５のいずれか一つの発明のヒートポンプ式空気調和システム、ヒートポンプ式給湯システム又はヒートポンプ式空気調和・給湯統合システムにおいて、（１６）前記貯留水槽に生活用水を補給する生活用水補給手段備え、該生活用水補給手段（１６）は、以下の（ア）及び／又は（イ）に基づき、生活用水の補給の実行及び停止を行う機能を有するようにしたものである。
（ア）前記貯留水槽（４）〜（４”’）における液位測定手段で測定された液位情報
（イ）前記貯留水槽（４）〜（４”’）における温度測定手段で測定された温度情報
【手続補正３】
【補正対象書類名】明細書
【補正対象項目名】００４９
【補正方法】変更
【補正の内容】
【００４９】
この実施形態のヒートポンプ式空気調和・給湯統合システムにおいては、冷媒１及び冷媒２の循環系統は第２の実施形態のヒートポンプ式空気調和・給湯統合システムと同じである。それに対して、熱源媒体３の循環系統は、それぞれの運転の場合に、以下のように変わる（図９及び図１０において循環経路を太実線で示す）。
冷房単独運転の場合：槽内熱交換器３_53→循環ポンプ１_34→三方弁Ａ１_371→室外熱交換器１_31→三方弁Ａ２_372→三方弁Ａ３_373→三方弁Ａ４_374→槽内熱交換器３_53
給湯単独運転の場合：槽内熱交換器３_53→循環ポンプ１_34→三方弁Ａ１_371→三方弁Ａ２_372→三方弁Ａ３_373→室外熱交換器２_41→三方弁Ａ４_374→槽内熱交換器３_53
「冷房＋給湯」併用運転の場合：槽内熱交換器３_53→循環ポンプ１_34→三方弁Ａ１_371→室外熱交換器１_31→三方弁Ａ２_372→三方弁Ａ３_373→室外熱交換器２_41→三方弁Ａ４_374→槽内熱交換器３_53
一方、家屋1内の空気から貯留水槽5内の生活排水・雨水への温熱の移動、及び、貯留水槽5内の生活排水・雨水から水への温熱が移動は、熱源媒体１及び熱源媒体２が熱源媒体３に代わることを除けば、第２の実施形態のヒートポンプ式空気調和・給湯統合システムと同じである。
【手続補正４】
【補正対象書類名】明細書
【補正対象項目名】００５２
【補正方法】変更
【補正の内容】
【００５２】
この実施形態のヒートポンプ式空気調和・給湯統合システムにおいては、冷媒１及び冷媒２の循環系統は第２の実施形態のヒートポンプ式空気調和・給湯統合システムと同じである。また、熱源媒体３の循環系統は、経由する循環ポンプと弁類が複雑になったことを除いて、第３の実施形態のヒートポンプ式空気調和・給湯統合システムと同じである。
一方、今回新たに加わった暖房運転用の熱源媒体１用の循環系統は、暖房単独運転の場合でも、「暖房＋給湯」併用運転の場合でも同じであり、槽内熱交換器１_51→三方弁Ｂ１_381→四方弁Ｂ_36→室外熱交換器１_31→四方弁Ｂ_36→三方弁Ｂ２_382→槽内熱交換器１_51の経路となる（図１２及び図１５において、循環経路を太実線で示す）。
【手続補正５】
【補正対象書類名】明細書
【補正対象項目名】００５４
【補正方法】変更
【補正の内容】
【００５４】
本実施形態のヒートポンプ式空気調和・給湯統合システムの給排水系統においては、上水道配管81から家屋1内の風呂11、トイレ12、台所13、洗濯機14、洗い場15及び貯留水槽5に水道水が供給される（貯留水槽5に対しては開閉弁83を介して）。一方、風呂11、トイレ12、台所13、洗濯機14及び洗い場15で使用済みとなった生活排水は、それぞれ三方弁Ｃ１_71、三方弁Ｃ２_72、三方弁Ｃ３_73、三方弁Ｃ４_74及び三方弁Ｃ５_75を介して、貯留水槽5に供給されるか、下水道配管82に放流される。
一方、家屋1に落下した雨水は雨どい16で集められ、これも三方弁Ｃ６_76を介して貯留水槽5に供給されるか、下水道配管82に放流される。
さらに、貯留水槽5内の生活排水・雨水は、排水ポンプ54で下水道配管82に放流される。排水ポンプ54は、液位計56の測定信号に基づいて運転及び停止する。
【手続補正６】
【補正対象書類名】明細書
【補正対象項目名】００５５
【補正方法】変更
【補正の内容】
【００５５】
開閉弁83は、演算機２_84からの指示信号に基づき開閉され、演算機２_84は「貯留水槽5内の生活排水・雨水の液位を測定する液位計56からの測定信号」及び「貯留水槽5内の生活排水・雨水の温度を測定する温度計１_55からの測定信号」に基づき指示信号を生成する。
また、三方弁のうち、三方弁Ｃ２_72、三方弁Ｃ３_73、三方弁Ｃ４_74、三方弁Ｃ５_75及び三方弁Ｃ６_76については、冷媒循環系統１における圧縮機１_32と冷媒循環系統２における圧縮機２_42の運転及び停止の信号に基づき開方向が決定される。一方、三方弁Ｃ１_71は、それらに加えて、四方弁Ａ_35の開方向（すなわち冷房運転と暖房運転の別）、及び、演算器１_78からの指示信号に基づき開方向が決定され、演算器１_78は「風呂11からの排水の温度を測定する温度計２_77とからの測定信号」と「貯留水槽5内の生活排水・雨水の温度を測定する温度計１_55からの測定信号」に基づき指示信号を生成する。
【手続補正７】
【補正対象書類名】明細書
【補正対象項目名】００５６
【補正方法】変更
【補正の内容】
【００５６】
図１６の給排水経路は、圧縮機１_32と圧縮機２_42の双方が停止している（すなわち、空気調和も給湯も行われていない）場合の給排水経路である。風呂11、トイレ12、台所13、洗濯機14及び洗い場15で発生した生活排水、及び、雨どいで集められた雨水は、すべて下水道配管に放流されており、貯留水槽5内の排水ポンプ54も運転していない。
一方、図１７の給排水経路は、圧縮機１_32と圧縮機２_42の少なくとも一方が運転しており、貯留水槽5内の生活排水・雨水の液位も温度も適正な範囲にある場合の給排水経路である。風呂11、トイレ12、台所13、洗濯機14及び洗い場15で発生した生活排水、及び、雨どいで集められた雨水は、すべて貯留水槽5に供給されている。排水ポンプ54も運転することによって、貯留水槽5内の生活排水・雨水の液位を適正範囲内に保っている。
最後に、図１８の給排水経路は、圧縮機１_32が稼動して冷房運転がなされており、かつ、貯留水槽5内の生活排水・雨水の液位が適正値より低く、また、貯留水槽5内の生活排水・雨水の温度が風呂11からの排水の温度よりも低い場合の給排水経路である。トイレ12、台所13、洗濯機14及び洗い場15で発生した生活排水、及び、雨どいで集められた雨水は貯留水槽5に供給されているが、風呂11からの排水は、貯留水槽5内の生活排水・雨水の温度を上げないように下水道配管に放流されている。一方、貯留水槽5内の生活排水・雨水の液位を適正値まで上げるように、上水道配管から貯留水槽5に水道水が補給されている。
【手続補正８】
【補正対象書類名】明細書
【補正対象項目名】００５９
【補正方法】変更
【補正の内容】
【００５９】
1‥‥‥家屋
11‥‥‥風呂
12‥‥‥トイレ
13‥‥‥台所
14‥‥‥洗濯機
15‥‥‥洗い場
16‥‥‥雨どい
2‥‥‥室内機ユニット
21‥‥‥送風機
22‥‥‥室内熱交換器
3‥‥‥室外機ユニット
31‥‥‥室外熱交換器１
32‥‥‥圧縮機１
33‥‥‥膨張弁１
34‥‥‥循環ポンプ１
35‥‥‥四方弁Ａ
36‥‥‥四方弁Ｂ
371‥‥‥三方弁Ａ１
372‥‥‥三方弁Ａ２
373‥‥‥三方弁Ａ３
374‥‥‥三方弁Ａ４
381‥‥‥三方弁Ｂ１
382‥‥‥三方弁Ｂ２
383‥‥‥三方弁Ｂ３
384‥‥‥三方弁Ｂ４
385‥‥‥三方弁Ｂ５
386‥‥‥三方弁Ｂ６
4‥‥‥給湯ユニット
41‥‥‥室外熱交換器２
42‥‥‥圧縮機２
43‥‥‥膨張弁２
44‥‥‥循環ポンプ２
45‥‥‥給水ポンプ
46‥‥‥湯沸熱交換器
5‥‥‥貯留水槽
51‥‥‥槽内熱交換器１
52‥‥‥槽内熱交換器２
53‥‥‥槽内熱交換器３
54‥‥‥排水ポンプ
55‥‥‥温度計１
56‥‥‥液位計
6‥‥‥貯湯槽
71‥‥‥三方弁Ｃ１
72‥‥‥三方弁Ｃ２
73‥‥‥三方弁Ｃ３
74‥‥‥三方弁Ｃ４
75‥‥‥三方弁Ｃ５
76‥‥‥三方弁Ｃ６
77‥‥‥温度計２
78‥‥‥演算器１
81‥‥‥上水道配管
82‥‥‥下水道配管
83‥‥‥開閉弁
84‥‥‥演算器２
【手続補正９】
【補正対象書類名】図面
【補正対象項目名】図２
【補正方法】変更
【補正の内容】
【図２】
2008209042.tif 000001
【手続補正１０】
【補正対象書類名】図面
【補正対象項目名】図１６
【補正方法】変更
【補正の内容】
【図１６】
2008209042.tif 000002
【手続補正１１】
【補正対象書類名】図面
【補正対象項目名】図１７
【補正方法】変更
【補正の内容】
【図１７】
2008209042.tif 000003